【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
光ポンプ出力を用いて増幅された多重化通過帯域信号を利得平坦化するための集積化光学コンポーネントであって、
発射ポート、バイパスポート及び出力ポートを有するハウジングと、
通過帯域波長帯の多重化通過帯域信号及び異なる波長帯の光ポンプ出力を伝達するように作用する、前記発射ポートに結合された発射ポート光導波路と;
結合された多重化通過帯域信号及び光ポンプ出力を前記発射ポート光導波路から受け取るように配向され、かつ、前記多重化通過帯域信号を送り、前記光ポンプ出力を反射するように作用する薄膜デマルチプレクサフィルタと;
前記デマルチプレクサフィルタによって反射された光ポンプ出力を受け取り、搬送するように配向された、前記バイパスポートに結合されたバイパスポート光導波路と;
前記多重化通過帯域信号を前記薄膜デマルチプレクサフィルタから受け取るように位置決めされ、利得平坦化のための所望の減衰プロファイルを有する前記多重化通過帯域信号を送るように作用する利得平坦化フィルタと;
少なくとも前記利得平坦化フィルタを通過して減衰された多重化通過帯域信号を受け取るように配向され、前記多重化通過帯域信号を搬送するように作用する、前記出力ポートに結合された出力ポート光導波路とを備える、集積化光学コンポーネント。
【請求項２】
前記発射ポート光導波路からの結合された多重化通過帯域信号及び光ポンプ出力を前記デマルチプレクサフィルタに集束させるように、かつ前記薄膜デマルチプレクサフィルタによって反射された光ポンプ出力を前記バイパスポート光導波路へ集束させるように作用する第１のレンズと、
前記利得平坦化フィルタを通された多重化通過帯域信号を前記出力ポート光導波路に集束させるように作用する第２のレンズとを更に備え、
前記第１のレンズが好ましくは前記発射ポート光導波路と前記薄膜デマルチプレクサフィルタとの間に位置決めされ、
前記第２のレンズが好ましくは前記利得平坦化フィルタと前記出力ポート光導波路との間に位置決めされ、
前記第１のレンズ及び前記第２のレンズの各々が、好ましくは、ボールレンズ、GRINレンズ及び非球面レンズから選択される、
請求項１に記載の集積化光学コンポーネント。
【請求項３】
前記発射ポート光導波路、前記バイパスポート光導波路及び前記出力ポート光導波路が各々光ファイバであり、
前記発射ポート光導波路及び前記バイパスポート光導波路が、好ましくは、前記薄膜デマルチプレクサフィルタ及び前記利得平坦化フィルタの両方がその中に設置されたハウジングに取り付けられたデュアルファイバフェルール内に一緒に保持され、
前記バイパスポート光導波路が、好ましくは、前記通過帯域波長帯の信号を減衰するように作用する
請求項１又は２に記載の集積化光学コンポーネント。
【請求項４】
前記薄膜デマルチプレクサフィルタが、Cバンド、Lバンド、Sバンド、他の通信バンド又は通信バンドの組合せの多重化通過帯域信号を送るように、かつ名目上980nm波長の光ポンプ出力を反射するように作用する、
請求項１乃至３のいずれか１項に記載の集積化光学コンポーネント。
【請求項５】
前記薄膜デマルチプレクサフィルタ、前記発射ポート光導波路の端面、及び前記バイパスポート光導波路の端面が各々、前記通過帯域信号の光路の方向に対して直角ではなく、前記利得平坦化フィルタ及び前記出力ポート光導波路の端面が各々、前記通過帯域信号の光路の方向に対して直角ではない、
請求項１乃至４のいずれか１項に記載の集積化光学コンポーネント。
【請求項６】
前記出力ポート光導波路が前記ハウジングに取り付けられたフェルール内に保持された光ファイバであり、
前記光ファイバ端面及びレンズは反射防止コーティングを有する、
請求項１乃至５のいずれか１項に記載の集積化光学コンポーネント。
【請求項７】
前記薄膜デマルチプレクサフィルタが光学基板の第１の表面上にあり、前記利得平坦化フィルタが前記光学基板の第２の表面上にあり、
前記第１の表面及び前記第２の表面が相互に対して最大でも１°の角度で平行から随意角だけずれており、
前記集積化光学コンポーネントが、
前記バイパスポート光導波路及び前記出力ポート光導波路を光学的に結合して、前記デマルチプレクサフィルタによって反射された光ポンプ出力を前記利得平坦化フィルタを通された多重化通過帯域信号と再結合させるマルチプレクサを更に備える、
請求項１乃至６のいずれか１項に記載の集積化光学コンポーネント。
【請求項８】
前記薄膜デマルチプレクサフィルタが第１の光学基板の第１の表面上にあり、前記利得平坦化フィルタが第２の光学基板の第２の表面上にある、
請求項１乃至７のいずれか１項に記載の集積化光学コンポーネント。
【請求項９】
前記薄膜デマルチプレクサフィルタが光学基板の第１の表面上にあり、前記発射ポート光導波路と対向し、前記利得平坦化フィルタが前記光学基板の第２の表面上にあり、前記出力ポート光導波路と対向しており、前記第１の表面及び第２の表面は、最大１°の角度で相互に対して平行ではなく、
前記出力ポート光導波路が前記ハウジングに取り付けられたフェルール内に保持された光ファイバであり、
前記利得平坦化フィルタは、前記出力ポート光導波路の前記光ファイバ端面に対して平行ではなく、
前記光ファイバ端面及びレンズは反射防止コーティングを有する、
請求項１乃至７のいずれか１項に記載の集積化光学コンポーネント。
【請求項１０】
前記薄膜デマルチプレクサフィルタが前記第１の光学基板のリフレクタ表面上にあり、前記第２の光学基板が、前記出力ポート光導波路に対向し、前記光ポンプ出力を反射するように作用する出力表面を有しており、
前記集積化光学コンポーネントが更に、
前記第１の光学基板と前記第２の光学基板との間の光路に位置決めされ、高い反射減衰量をポンプ出力に提供するように作用するアイソレータであり、前記第２の光学基板の第２の表面が対向するアイソレータと;
光ポンプ出力を搬送するように作用し、光ポンプ出力を前記第２の光学基板の前記出力表面に向けて発射するように配向されたポンプ出力光導波路とを備えており、
前記出力ポート光導波路、前記ポンプ出力光導波路、及び前記第２の光学基板の前記出力表面が、前記ポンプ出力光導波路からのポンプ出力を前記出力ポート光導波路へ反射するように配向された、
請求項８に記載の集積化光学コンポーネント。
【請求項１１】
前記第１の光学基板の前記リフレクタ表面が前記発射ポート光導波路に対向しており、前記第１の光学基板の反対側を向いた第2の表面が前記アイソレータに対向しており、前記第１の光学基板が、前記リフレクタ表面及び前記反対側を向いた第２の表面が最大で１°の角度で平行からずれて相互に対して平行にならないように楔形になっている、
請求項８に記載の集積化光学コンポーネント。
【請求項１２】
前記利得平坦化フィルタが前記第２の光学基板の前記出力表面にあり、これにより、前記第２の光学基板の前記出力表面が、前記光ポンプ出力を反射するとともに、所望の減衰プロファイルを前記通過帯域波長帯の多重化通過帯域信号に提供するように作用し;
前記第２の光学基板の反対側を向いた第２の表面は前記アイソレータに対向しており、前記第２の光学基板が、前記第２の光学基板の前記出力表面及び前記反対側を向いた第２の表面が最大で１°の角度で平行からずれて相互に対して平行にならないように楔形である、
請求項８に記載の集積化光学コンポーネント。
【請求項１３】
前記利得平坦化フィルタが、前記第２の光学基板の反対側を向いた第２の表面にあり、前記アイソレータに対向しており、
前記第２の光学基板が、前記第2の光学基板の前記出力表面及び前記反対側を向いた第２の表面が最大で１°の角度で平行からずれて相互に対して平行にならないように楔形である、
請求項８に記載の集積化光学コンポーネント。
【請求項１４】
(i)前記発射ポート光導波路及びバイパスポート光導波路と(ii)前記第１の光学基板の前記リフレクタ表面との間に位置決めされており、組み合わされた多重化通過帯域信号及び光ポンプ出力を前記発射ポート光導波路から前記デマルチプレクサフィルタへ集束させ、かつ、前記デマルチプレクサフィルタによって反射された光ポンプ出力を前記バイパスポート光導波路へ集束させるように作用する、第1のレンズと;
(i)前記第２の光学基板と(ii)前記出力ポート光導波路及びポンプ出力光導波路との間に位置決めされており、前記利得平坦化フィルタを通された多重化通過帯域信号を前記出力ポート光導波路へ集束させるように、光ポンプ出力を前記ポンプ出力光導波路から前記第２の光学基板の前記出力表面へ発射し、かつ前記第２の光学基板の前記出力表面によって反射された光ポンプ出力を前記出力ポート光導波路へ集束させるように作用する第２のレンズと、を更に備えており、
前記出力ポート光導波路及び前記ポンプ出力光導波路が各々、前記ハウジングに取り付けられたデュアルファイバフェルール内に一緒に保持され光ファイバであり、
前記第２の光学基板の前記出力表面が、前記出力ポート光導波路の前記光ファイバ端面及び前記ポンプ出力光導波路の前記光ファイバ端面各々に対して平行ではなく、
少なくとも前記光ファイバ端面、及びレンズが反射防止コーティングを有する、
請求項８に記載の集積化光学コンポーネント。
【請求項１５】
前記バイパスポート光導波路及び前記ポンプ出力光導波路が同じ光ファイバ経路の一部であり、前記薄膜デマルチプレクサフィルタによって前記バイパスポート光導波路に反射された光ポンプ出力が前記ポンプ出力光導波路に伝達され、前記第２の光学基板の前記出力表面によって前記出力ポート光導波路へ反射され、
前記光ファイバ経路が好ましくは途切れない長さの光ファイバである、又は、前記光ファイバ経路が、前記光ファイバ経路によって搬送された前記光ポンプ出力から多重化通過帯域信号をさらに分離するように作用するスプライスマルチプレクサ/デマルチプレクサである、
請求項８乃至１４のいずれか１項に記載の集積化光学コンポーネント。
【請求項１６】
光ポンプ出力を用いて多重化通過帯域信号を増幅する光増幅器であって、
光路に沿って以下の順序で光学的に結合された:
異なる波長帯の光ポンプ出力と結合された通過帯域波長帯の多重化通過帯域信号を受け取るように、かつ光ポンプ出力と結合された前記多重化通過帯域信号を増幅かつ送るように作用する第１の利得段と;
請求項１乃至１５のいずれか１項に記載の光利得平坦化コンポーネントと;
前記集積化光学コンポーネント及び光ポンプ出力から前記多重化通過帯域信号を受け取って、前記多重化通過帯域信号を更に増幅するように作用する第２の利得段とを備えており、
前記光利得平坦化コンポーネントによって提供される前記減衰プロファイルが、前記第１及び第２の利得段の非均一な増幅を補償し、
前記光増幅器が、好ましくは、前記光利得平坦化コンポーネントと前記第２の利得段との間のアイソレータと、前記第２の利得段に続くアイソレータとを更に備え、
前記第１及び第２の利得段の各々が、ある長さのドープ光ファイバを好ましくは含み、かつ、好ましくはエルビウムドープファイバ増幅器であり、
好ましくは前記多重化通過帯域信号がCバンドにあり、前記光ポンプ出力が名目上980nm波長を有し、
前記光増幅器はポンプレーザのような光ポンプ出力源を更に備える、
光増幅器。